(57)【要約】【課題】表示部に選択された天体情報を効果的に表示可能にする携帯移動端末を提供する。【解決手段】携帯移動端末１０の位置情報および方角情報を、コンパス１３、仰角センサ１４およびＧＰＳ等の位置情報取得部１６により取得し、これを送信部１８およびアンテナ１１を介して送信し、外部の天体情報データベース５等から必要な天体情報を受信して表示部２１に表示する。【選択図】      図１
2004320577.tif 000002
【特許請求の範囲】
【請求項１】
アンテナ、送受信部および図形情報等が表示可能な表示部を備える携帯移動端末において、
該携帯移動端末の位置を検出する位置情報検出手段を備え、該位置情報検出手段が検出した位置情報に基づき天体情報を取得して、前記表示部に表示することを特徴とする携帯移動端末。
【請求項２】
前記携帯移動端末は、更に方角情報検出手段を備え、前記位置情報検出手段により検出された位置情報および前記方角情報検出手段により検出された方角情報に基づき前記表示部に表示される前記天体情報を決定することを特徴とする請求項１に記載の携帯移動端末。
【請求項３】
前記位置情報検出手段として、コンパス（地磁気センサ）を使用することを特徴とする請求項１又は２に記載の携帯移動端末。
【請求項４】
前記方角情報検出手段は、前記アンテナの方角を検出する仰角センサであることを特徴とする請求項２に記載の携帯移動端末。
【請求項５】
前記位置情報検出手段として、ＧＰＳ（Ｇｌｏｂａｌ  Ｐｏｓｉｔｉｏｎｉｎｇ  Ｓｙｓｔｅｍ）を使用することを特徴とする請求項１乃至４の何れかに記載の携帯移動端末。
【請求項６】
前記位置情報検出手段は、前記携帯移動端末のユーザが予め登録した１以上の位置エリアに前記携帯移動端末があるか否かを決定することを特徴とする請求項１乃至４の何れかに記載の携帯移動端末。
【請求項７】
前記天体情報は、前記携帯移動端末から前記アンテナを介して送信される情報に基づき、天体情報データベースから受信することを特徴とする請求項１乃至６の何れかに記載の携帯移動端末。
【請求項８】
無線通信するアンテナと、該アンテナを介して情報を送受信する送信部および受信部と、所望の情報を表示する表示部とを備える携帯移動端末において、
該携帯移動端末の位置および仰角を検出するコンパスおよび仰角センサと、該コンパスおよび仰角センサからの情報に基づき赤緯および赤経を算出する赤緯・赤経算出部と、前記携帯移動端末の絶対位置情報を取得する位置情報取得部と、前記赤緯・赤経算出部および前記位置情報取得部の情報に基づき前記送信部へ送信される送信信号を得る送信信号合成部と、前記アンテナを介して前記受信部が外部から受信した天体情報を前記表示部へ表示する受信信号分離部とを備えることを特徴とする携帯移動端末。
【発明の詳細な説明】
【０００１】
【発明の属する技術分野】
本発明は携帯移動端末（又は移動機）に関し、特にこの携帯移動端末のユーザの特定する位置および方角により決定される天体情報を表示部に表示可能にする携帯移動端末に関する。
【０００２】
【従来の技術】
近年、携帯電話端末等の携帯移動端末は、比較的大きい表示エリアを有する表示部を備えており、携帯移動端末のユーザが例えば、インターネットを介して外部から取得した地図その他の図形情報等を表示可能にしている。また、携帯移動端末は、ＣＣＤ（電化結合素子）カメラを内蔵し、ユーザ自身が撮影した又は他のユーザが撮影して送信された種々の画像を表示可能にしている。画像情報は、文字情報に比較して、短時間に多くの情報を得ることが可能であり、有効な通信手段となる場合が多い。
【０００３】
また、携帯移動端末のユーザ（特に、天文ファン）は、携帯移動端末を星座等の天体情報の表示手段として使用する場合がある。その場合には、星座早見版を携帯移動機画面上に表示するか又は所望の天体名（星座名等）を入力することにより天体情報を携帯移動端末の表示部に表示するのが一般的である。
【０００４】
ここで、携帯移動端末等の使用に関する従来技術として、次のものが知られている。即ち、ＧＰＳ（Ｇｌｏｂａｌ  Ｐｏｓｉｔｉｏｎｉｎｇ  Ｓｙｓｔｅｍ）信号に基づいて位置を検出する位置検出手段および地磁気センサによって方位を検出する方位検出手段を備える位置情報表示システムが開示されている（例えば、特許文献１参照。）。また、天体情報に関するデータを記憶する記憶手段を備える地図表示装置、ナビゲーション装置および地図データ生成方法等が開示されている（例えば、特許文献２参照。）。更に、傾斜センサと地磁気センサを備える携帯端末機器用姿勢角度検出装置および携帯端末機器用磁気方位検出装置が開示されている（例えば、特許文献３参照。）。
【０００５】
【特許文献１】
特開２００１−２８９６４６号公報（第３−４頁、図１）
【特許文献２】
特開２００２−１１６０３０号公報（第４頁、第１図）
【特許文献３】
特開２００２−１５８７５０号公報（第４頁、第２図）
【０００６】
【発明が解決しようとする課題】
しかし、上述した従来の携帯移動端末では、ユーザの位置から観測可能な天体情報を迅速確実に表示することが不可能である。また、携帯移動端末の表示画面は制限されているので、十分識別可能に表示することが不可能である。更に、ユーザの位置から観測可能な特定の天体を選択的に表示することも困難である等の課題があった。
【０００７】
【発明の目的】
本発明は、従来技術の上述した課題に鑑みなされたものであり、これらの課題を解消し、現在天球上に存在する天体の情報を容易に得ることを可能にする携帯移動端末を提供することを目的とする。
【０００８】
【課題を解決するための手段】
前述の課題を解決するため、本発明による携帯移動端末は、次のような特徴的な構成を採用している。
【０００９】
（１）アンテナ、送受信部および図形情報等が表示可能な表示部を備える携帯移動端末において、
該携帯移動端末の位置を検出する位置情報検出手段を備え、該位置情報検出手段が検出した位置情報に基づき天体情報を取得して、前記表示部に表示する携帯移動端末。
【００１０】
（２）前記携帯移動端末は、更に方角情報検出手段を備え、前記位置情報検出手段により検出された位置情報および前記方角情報検出手段により検出された方角情報に基づき前記表示部に表示される前記天体情報を決定する上記（１）の携帯移動端末。
【００１１】
（３）前記位置情報検出手段として、コンパス（地磁気センサ）を使用する上記（１）又は（２）の携帯移動端末。
【００１２】
（４）前記方角情報検出手段は、前記アンテナの方角を検出する仰角センサである上記（２）の携帯移動端末。
【００１３】
（５）前記位置情報検出手段として、ＧＰＳ（Ｇｌｏｂａｌ  Ｐｏｓｉｔｉｏｎｉｎｇ  Ｓｙｓｔｅｍ）を使用する上記（１）乃至（４）の何れかの携帯移動端末。
【００１４】
（６）前記位置情報検出手段は、前記携帯移動端末のユーザが予め登録した１以上の位置エリアに前記携帯移動端末があるか否かを決定する上記（１）乃至（４）の何れかの携帯移動端末。
【００１５】
（７）前記天体情報は、前記携帯移動端末から前記アンテナを介して送信される情報に基づき、天体情報データベースから受信する上記（１）乃至（６）の何れかの携帯移動端末。
【００１６】
（８）無線通信するアンテナと、該アンテナを介して情報を送受信する送信部および受信部と、所望の情報を表示する表示部とを備える携帯移動端末において、
該携帯移動端末の位置および仰角を検出するコンパスおよび仰角センサと、該コンパスおよび仰角センサからの情報に基づき赤緯および赤経を算出する赤緯・赤経算出部と、前記携帯移動端末の絶対位置情報を取得する位置情報取得部と、前記赤緯・赤経算出部および前記位置情報取得部の情報に基づき前記送信部へ送信される送信信号を得る送信信号合成部と、前記アンテナを介して前記受信部が外部から受信した天体情報を前記表示部へ表示する受信信号分離部とを備える携帯移動端末。
【００１７】
【発明の実施の形態】
次に、本発明による携帯移動端末の好適実施形態の構成および動作を、添付図面を参照して詳細に説明する。
【００１８】
先ず、図１は本発明による携帯移動端末（以下、単に移動機ということもある）の全体構成を示すブロック図である。この移動機１０は、アンテナ１１、共用器１２、位置情報検出手段であるコンパス（地磁気センサ）１３、方角センサである仰角（傾き）センサ１４、赤緯・赤経算出部１５、位置情報取得部１６、送信信号合成部１７、送信部１８、受信部１９、受信信号分離部２０および表示部（ディスプレイ）２１により構成されている。
【００１９】
共用器１２には、アンテナ１１、送信部１８および受信部１９が接続されている。送信部１８には、送信信号合成部１７を介して赤緯・赤経算出部１５および位置情報取得部１６が接続されている。更に、この赤緯・赤経算出部１５には、コンパス（地磁気センサ）１３および仰角（傾き）センサ１４が接続されている。一方、受信部１９には、更に受信信号分離部２０を介して表示部（ディスプレイ）２１が接続されている。
【００２０】
次に、図２は、本発明の好適実施形態による移動通信システムの構成を示すブロック図である。図２において、移動通信システムは、移動機（ＵＥ：Ｕｓｅｒ  Ｅｑｕｉｐｍｅｎｔ）１０、ＲＡＮ（Ｒａｄｉｏ  Ａｃｃｅｓｓ  Ｎｅｔｗｏｒｋ）３、コアネットワーク（ＣＮ：Ｃｏｒｅ  Ｎｅｔｗｏｒｋ）４および天体情報データベース５により構成されている。更に、ＲＡＮ３は、ＢＳ（Ｂａｓｅ  Ｓｔａｔｉｏｎ）３１およびＲＮＣ（Ｒａｄｉｏ    Ｎｅｔｗｏｒｋ  Ｃｏｎｔｒｏｌｌｅｒ）３２を含んでいる。
【００２１】
次に、本発明による携帯移動端末（又は移動機）１０の動作を説明する。コンパス（地磁気センサ）１３および仰角（傾き）センサ１４により得られた自端末に姿勢に関する情報を、赤緯・赤経算出部１５に送る。赤緯・赤経算出部１５は、これらの情報に基づいて自端末の指し示している方角情報（赤緯・赤経）を算出する。
【００２２】
位置情報取得部１６は、ＧＰＳ（Ｇｌｏｂａｌ  Ｐｏｓｉｔｉｏｎｉｎｇ  Ｓｙｓｔｅｍ）による絶対位置（緯度、経度等）の取得又は自端末がどの位置登録エリアにいるかという位置登録情報を取得し、その位置情報を方角情報（赤緯・赤経）と併せて送信信号合成部１７に送出する。
【００２３】
次に、送信信号合成部１７は、位置情報および方角情報（赤緯・赤経）と内部回路からのデータおよび制御情報を合成して送信部１８に送出する。送信部１８は、送信信号合成部１７で合成された信号を共用器１２およびアンテナ１１を介して送信する。
【００２４】
コンパス１３は、自端末の現在位置での方位情報、即ちアンテナ１１が自端末の筐体の長手方向と平行に取付けられていれば、アンテナ１１の先端又は末尾の方向を示す方位情報（経度・緯度）を赤緯・赤経算出部１５に送出する。仰角（傾き）センサ１４は、自端末の姿勢における仰角情報、即ちアンテナ１１が自端末の筐体の長手方向と平行に取付けられていれば、アンテナ１１の先端又は末尾と地平面が示す仰角を赤緯・赤経算出部１５に送出する。移動機１０から送出された位置情報および方角情報（赤緯・赤経）をＲＡＮ３およびコアネットワーク（ＣＮ）４を通して、天体情報データベース５に送る。
【００２５】
天体情報データベース５では、現在時刻を併せて、移動機１０が示した天体の情報を、逆のルートを通して移動機１０へ送信する。移動機１０では、内在するアンテナ１１により、ＲＡＮ３からの信号を受信した後に、共用器１２を通して受信信号分離部２０で天体情報が分離され、ディスプレイ２１上に表示される。ここで、例えば、仰角センサ１４を搭載していない移動機であったとしても、目視レベルで仰角を上下キー等で入力することでも機能する。
【００２６】
以上、本発明による携帯移動機およびそれに使用される天体情報通知方式の好適実施形態の構成および動作を詳述した。しかし、斯かる実施形態は、本発明の単なる例示に過ぎず、何ら本発明を限定するものではないことに留意されたい。例えば、同じ位置であっても、季節や時間により観測可能な天体は変化する。そこで、携帯移動端末には、カレンダーおよび時計情報を内蔵し、この情報を位置情報と共に使用して一層正確な天体情報を取得して表示することも可能である。また、位置情報は、携帯電話端末等では、それが通信する最寄の基地局から入手することも可能である。また、携帯移動端末のユーザが予め位置情報を登録し、ユーザの位置に基づき、これら登録された位置情報を特定して、所定の天体情報を取得するよう構成してもよい。
【００２７】
【発明の効果】
以上説明したように本発明によると、次の如き実用上の顕著な効果が得られる。即ち、携帯移動端末（移動機）が通話先と無線を介して接続する移動通信システムにおいて、携帯移動端末を所望の方角に向けるだけで、向けられた天体に関する詳細な情報を正確且つ容易に得ることが可能である。方角を限定することにより、表示エリアが限られた表示画面に所望の天体を表示することが可能である。
【図面の簡単な説明】
【図１】本発明による携帯移動端末の好適実施形態の全体構成を示すブロック図である。
【図２】図１に示す携帯移動端末を使用して天体情報を取得する移動通信システムの構成を示すブロック図である。
【符号の説明】
１０  携帯移動端末（移動機）
１１  アンテナ
１２  共用器
１３  位置情報検出手段（コンパス）
１４  方角検出手段（仰角センサ）
１５  赤緯・赤経算出部
１６  位置情報取得部
１７  送信信号合成部
１８  送信部
１９  受信部
２０  受信信号分離部
２１  表示部
３  ＲＡＮ
３１  ＢＳ
３２  ＲＮＣ
４  コアネットワーク
５  天体情報データベース
【図１】
2004320577.tif 000003
【図２】
2004320577.tif 000004